(57)【特許請求の範囲】
【請求項１】
接続部材（１０）を一列の筐体（１２）に接続する接続機構であって、
前記一列の筐体（１２）は、搭載レールに固定される底面と、前記接続部材（１０）を前記一列の筐体（１２）に接続するための複数の接続領域（２２）が前記底面と垂直な方向に一列に並んで設けられた側面領域（２０）とを含み、
前記一列の筐体（１２）には、一方の前記側面領域（２０）とその逆側の前記側面領域（２０）とにそれぞれ前記複数の接続領域（２２）が設けられており、
前記接続領域（２２）が、前記一列の筐体（１２）に設けられている電気または電子アセンブリと接続され、
複数の前記接続部材（１０）が、両側のそれぞれの前記側面領域（２０）の前記接続領域（２２）に一つのプラグコンタクト（２４）によって取り付け可能である、接続機構。
【請求項２】
前記プラグコンタクト（２４）はピン形状に設計されている請求項１に記載の接続機構。
【請求項３】
前記プラグコンタクト（２４）が前記一列の筐体（１２）の前記接続領域（２２）に固定され、前記接続部材（１０）が、前記プラグコンタクト（２４）を挿入する開口を有する、または、前記プラグコンタクト（２４）が前記接続部材（１０）に固定され、前記一列の筐体（１２）の前記接続領域（２２）が、前記プラグコンタクト（２４）を挿入する開口を有している請求項１または２に記載の接続機構。
【請求項４】
前記一列の筐体（１２）に前記接続部材（１０）を固定するための固定部材を備える請求項１から３のいずれか一項に記載の接続機構。
【請求項５】
前記一列の筐体（１２）は、搭載レール上に固定することができ、前記プラグコンタクト（２２）の縦軸は、前記搭載レールの縦軸に実質的に垂直である請求項１から４のいずれか一項に記載の接続機構。
【請求項６】
少なくとも１つの接続部材（１０）は、少なくとも２つの接続領域（２２）に同時に固定することができるよう設計されている請求項１から５のいずれか一項に記載の接続機構。
【請求項７】
前記接続領域（２２）は、符号化を施されている請求項１から６のいずれか一項に記載の接続機構。
【請求項８】
少なくとも１つの第１の一列の筐体（１２）は、第２の一列の筐体（１２）の後に直列配置されており、前記第１の一列の筐体（１２）の第１の接続領域（２２）と、前記第２の一列の筐体（１２）の第２の接続領域（２２）とに同時に固定することができる１つの接続部材（１０）が提供される請求項１から７のいずれか一項に記載の接続機構。
【発明の詳細な説明】
【技術分野】
【０００１】
本革新は、一列の筐体を接続部材に接続するための接続機構に適用される。
【背景技術】
【０００２】
例えば独国特許公開第１０２００６０５７６０４号明細書が、スイッチキャビネット用の構成のための産業上の制御技術を利用する電気構成ユニットとして設計された一列の筐体を開示している。一列の筐体は、キャップレールなどの搭載レールに搭載される。一列の筐体は、その幅よりも長さのほうが格段に長くなっており、こうすることで、一列の筐体の、一列の筐体の長手方向に沿うよう設計されている縦軸を、搭載レールの縦軸に実質的な垂直な方向に持ってくることができる。一列の筐体は、その縦軸に沿って幾つかのレベルを有しており、これらレベルが、縦軸に垂直に延びている。一列の筐体の幅は、このようにして、ある接続領域がそれぞれのレベルにおいて一列の筐体のブロードサイドのほうに延びるよう設計されている。
【０００３】
接続領域とは、接続部材を一列の筐体に取り付け可能な領域のことを指す。通常、接続領域は、ねじ込み端子またはバネ式端子の形の接続クランプを有しており、これを利用して、筐体に接続部材または導体を取り付ける。
【０００４】
しかしながら、この技術の悪い点は、接続クランプをねじ込み端子またはバネ式端子の形で提供するので、接続部材が、道具を利用して時間をかけないと、接続領域に取り付けられない、という点である。
【発明の概要】
【発明が解決しようとする課題】
【０００５】
従って、本革新は、簡単に処理可能な方法で、一列の筐体を接続部材に接続する接続機構を提供することを課題としている。
【課題を解決するための手段】
【０００６】
この課題は、請求項１の特徴を利用することで解決される。本革新における様々な有効な設計を従属項に示す。
【０００７】
本革新における、一列の筐体に接続部材を接続する接続機構は、一列の筐体に、接続部材を一列の筐体に接続する接続領域を有し、接続領域は、筐体上に設けられたプリント回路基板に接続される。
【０００８】
本革新においては、接続部材をプラグコンタクトにより接続領域に取り付けることができる。
【０００９】
接続部材をプラグコンタクトにより接続領域に取り付けることができるので、接続部材は、一列の筐体に、および／または、一列の筐体の接続領域に、短時間で、しかも道具を利用することなく取り付けることができる。
【００１０】
プラグコンタクトは、プリント回路基板等の筐体内に配置されるエレクトロニクスの第一端部に接続される導電性の電気機械コンタクトとして設計されると好適である。プラグコンタクトは、第一端部と向かい合う位置に存在している端部の接続部材と接続される。接続部材は、例えばねじ込み接続方式、バネ接続方式、または直接押し込み接続方式（direct-push-in-connection）で接続部材上に搭載可能な接導体と接続されると好適である。一列の筐体の接続領域に直接取り付ける公知技術とは違って、このような本革新における導体は、一列の筐体の接続領域に簡単に取り付けることができて、電気接触を生じさせることができる、追加の接続部材を有している。幅の非常に狭い一列の筐体のブロードサイドに導体を挿入して、接続クランプに取り付ける、という煩雑な作業を省くことができるようになる。
【００１１】
本革新の有利な設計により、プラグコンタクトをピンとすることができる。例えばプラグコンタクトは、円形または矩形の断面を有してよい。プラグコンタクトをピンとして設計することができることから、接続部材を接続領域に簡単に迅速に取り付けたり、および／または、接続したりすることが可能となる。
【００１２】
別の好適な方法としては、プラグコンタクトを一列の筐体の接続領域に取り付ける場合、接続部材に、プラグコンタクトに差し込める（plug in）開口を設ける、または、プラグコンタクトを接続部材に取り付ける必要がある場合には、一列の筐体の接続部材に、プラグコンタクトを挿入できる開口を設ける、といった方法もある。接続部材を接続領域に取り付ける場合、プラグコンタクトを対応する開口に簡単に挿入することができ、開口の長さがプラグコンタクトの長さに実質的に対応しているので、プラグコンタクトを開口に完全に挿入することができるので、好適である。このようにしてプラグコンタクトを外囲環境から完全に守ることができるようになり、セキュアに接触を遂行することができる。
【００１３】
別の好適な設計法として、固定部材を提供して、接続部材を一列の筐体に固定する、というものがある。固定部材は、この目的に提供される対応する孔にラッチできるスナップアームの形で設計されると好適である。好適には、固定部材は、固定部材との接続を解除するために必要な抽出力が１５Ｎ超過となるように設計されると好適である。接続部材を一列の筐体に固定するための固定部材の例は幾つかある。一例としては、固定部材を一列の筐体の接続領域上に設けて、且つ、この目的に沿う対応する孔を接続部材に設ける、という方法がある。しかし逆に、固定部材を接続部材の上に設けて、この目的に沿う対応する孔を一列の筐体の接続領域に設ける方法も可能である。固定部材により、接続領域への接続部材の接続をさらに強固にすることができる。
【００１４】
本革新の別の有利な設計法では、一列の筐体を搭載レールに取り付け、プラグコンタクトを、搭載レールの縦軸に垂直な縦軸を有するよう設計する。接続部材は、一列の筐体の、一列の筐体の幅沿いのブロードサイドの側に取り付けることができる。複数の一列の筐体を搭載レールに直列にとりつける場合には、これらの一列の筐体は、搭載レールの上に固定された状態の一列の筐体の接続領域に、後で簡単に取り付けることができ、搭載レールに対して複雑な処理を行う必要はない。従って一列の筐体を接続部材に接続するときのプラグの方向は、搭載レールの縦軸に垂直な方向に設計する。
【００１５】
好適には、２以上の接続領域を一列の筐体に、筐体の１つのブロードサイドの上に次々に重ねていくように配置する。複数の接続領域を次々に重ねていくことで、接続領域を、側面の領域に沿って一列の筐体の長さ全体（特に、一列の筐体のブロードサイド）に延びるように配置することができ、その結果、複数の接続部材を１つのプラグコンタクトによって互いに長さ方向の軸が交差する筐体の両側に接続することができるようになる。
【００１６】
特に好適には、少なくとも１つの接続部材を、一列の筐体のブロードサイドに沿って互いの上に重ねられた少なくとも２つの接続領域に取り付けるようにするとよい。接続部材は、１つの接続部材を利用して複数のコンタクトを実現することができるように、次々に重ねられた２以上のプラグコンタクトまたは開口を有すると好適である。
【００１７】
接続部材を対応する接続領域にきれいに配置するために、本革新における別の好適な設計方法では、接続領域を符号化する。例えば、この符号化は、色符号化および／または数値および／またはアルファベットによる符号化および／または機械符号化であってよい。例えば符号化によって、接続解除後に、対応する接続部材を、この目的に見合う接続領域にきれいに配置して、誤った配線を防ぐことができるようになる。
【００１８】
さらに、少なくとも１つの一列の筐体を、第２の一列の筐体の後に直列に配置する場合には、接続部材を、第１の筐体の第１の接続領域と第２の筐体の第２の接続領域とに同時に固定すると好適である。こうすると、異なる筐体の複数の接続領域を１つの接続部材に接続することができることから、複数の筐体の長さ方向の軸と交差する軸と平行に設けられた複数の接続領域が１つの接続部材と接触するので好ましい。
【００１９】
以下に、好適な設計に基づく添付図面を参照しながら本革新について詳述する。
【図面の簡単な説明】
【００２０】
【図１】本革新における１つの設計の接続機構を示す。
【発明を実施するための形態】
【００２１】
図１は、一列の筐体１２に複数の接続部材１０を接続する、本革新における接続機構を示す。一列の筐体１２は、その底面１６が搭載レール（不図示）に固定することができ、一列の筐体１２の縦軸１６が、搭載レールの縦軸に垂直に設計されている。一列の筐体１２は、一列の筐体の縦軸１６に垂直に設計されている複数のレベル１８を有している。各レベル１８では、互いに向き合っている２つの接続部材１０がそれぞれ、一列の筐体１２のブロードサイドの側に配置されている。つまり、ここで言うところの一列の筐体１２は、各レベル１８および各ブロードサイド２０に、１つだけ接続部材１０が設けられているもののことである。一列の筐体１２の、ブロードサイド２０沿いの幅は５から７ｍｍであると好適である。
【００２２】
図１では、一列の筐体１２に７つの接続部材１０が接続されており、１つの接続部材１０が一列の筐体１２からは離れている。接続部材１０は、一列の筐体１２それぞれの上の１つの接続領域２２に取り付けることができ、接続領域２２は、筐体１０のブロードサイド２０に設けられている。ピン形状のプラグコンタクト２４を接続領域２２に設けて、これに対して接続部材１０を接続して、接続部材１０と、一列の筐体１２内に配置されるが図示されていないプリント回路基板との間のコンタクトを構築して、プラグコンタクト２６および／または接続領域２２が、一列の筐体１２内のプリント回路基板と接続できるようにする。好適には、プラグコンタクト２６の縦軸は、一列の筐体１２の縦軸１６に垂直になるよう設計して、接続部材１０を、道具を利用することなく、一列の筐体１２のブロードサイド２０の側に固定することができるようにする。接続部材１０においても、導体２６がねじ込み接続方式、クランプフォース接続方式、または、直接押し込み方式で取り付け可能になっていると好適である。
【符号の説明】
【００２３】
接続部材１０、一列の筐体１２、底面１４、縦軸１６、レベル１８、ブロードサイド２０、接続領域２２、プラグコンタクト２４、導体２６。
【図１】
0005538562.tif 000002